(57)【要約】【課題】ヒートポンプ給湯装置において、送風室から給湯加熱室への雨水の侵入を低減可能な構造を備えたもの等を提供することである。【解決手段】ヒートポンプ給湯装置１は、外装ケース３５の内部が、複数の仕切り板３７によって送風ファン２７と蒸発熱交換器２４が配置された送風室５１と、圧縮機２１と膨張弁２３が配置された機械室５２と、送風室５１と機械室５２の上方に跨がるように形成され且つ凝縮熱交換器２２が配置された給湯加熱室５３とに区画されたにおいて、複数の仕切り板３７は、外装ケース３５内の上端側部分に給湯加熱室５３を区画する為の横仕切り板３９を有し、横仕切り板３９は、送風室５１の上方において上方に向けて切り起された切起し片５５ａと、この切起し片５５ａを切り起すことで形成された開口部５５とを有し、開口部５５は、平面視において送風ファン２７の回転領域Ｆから前後方向に外れた位置に設けられている。【選択図】図４
2015045424.tif 000002
【特許請求の範囲】
【請求項１】
外装ケースの内部が、複数の仕切り板によって送風ファンと蒸発熱交換器が配置された送風室と、圧縮機と膨張手段が配置された機械室と、前記送風室と前記機械室の上方に跨がるように形成され且つ凝縮熱交換器が配置された給湯加熱室とに区画されたヒートポンプ給湯装置において、
前記複数の仕切り板は、前記外装ケース内の上端側部分に前記給湯加熱室を区画する為の上部仕切り板を有し、
前記上部仕切り板は、前記送風室の上方において上方に向けて切り起された切起し片と、この切起し片を切り起すことで形成された開口部とを有し、
前記開口部は、平面視において前記送風ファンの回転領域から前後方向に外れた位置に設けられたことを特徴とするヒートポンプ給湯装置。
【請求項２】
前記上部仕切り板には、この上部仕切り板上の水の流れを前記開口部に向かうように誘導する誘導部が設けられていることを特徴とする請求項１に記載のヒートポンプ給湯装置。
【請求項３】
前記上部仕切り板には、前記機械室側と連通する配管挿通孔が設けられ、前記開口部と前記配管挿通孔との間には、上方に凸となる前後方向に延びる突条部が設けられていることを特徴とする請求項１又は２に記載のヒートポンプ給湯装置。
【発明の詳細な説明】
【技術分野】
【０００１】
本発明はヒートポンプ給湯装置に関し、特に外装ケースの内部が複数の仕切り板によって送風室と機械室と給湯加熱室とに区画されたものに関する。
【背景技術】
【０００２】
従来から、冷媒を利用した熱交換式のヒートポンプ給湯装置が一般に広く普及している。この種のヒートポンプ給湯装置は、冷媒により湯水を加熱するヒートポンプ式熱源機、加熱された湯水を貯留する貯湯タンク、ヒートポンプ式熱源機と貯湯タンクとの間に湯水を循環する加熱循環回路等を備え、貯湯タンク内の湯水を加熱循環回路に循環させてヒートポンプ式熱源機で加熱して、加熱された湯水を貯湯タンク内に戻して貯留し、貯湯タンクから蛇口や風呂等の所望の給湯先に給湯するものである。
【０００３】
上記のヒートポンプ式熱源機は、圧縮機、凝縮熱交換器、膨張弁、蒸発熱交換器が冷媒配管を介して接続されることでヒートポンプ回路を構成し、冷媒配管に封入された冷媒を利用して貯湯運転が行われる。この貯湯運転では、圧縮機と蒸発熱交換器用の送風ファンとが夫々駆動され、凝縮熱交換器によってヒートポンプ回路を流れる冷媒と加熱循環回路を流れる湯水との間で熱交換が行われて湯水が加熱される。
【０００４】
ところで、外装ケース内における圧縮機、凝縮熱交換器、膨張弁、蒸発熱交換器の配置構造に関して、例えば、特許文献１のヒートポンプ給湯装置のような配置構造がある。即ち、特許文献１のヒートポンプ給湯装置では、外装ケースの内部が、複数の仕切り板によって送風ファンと蒸発熱交換器とが配置された送風室と、圧縮機と膨張手段とが配置された機械室と、送風室と機械室の上方に跨がるように形成され且つ凝縮熱交換器が配置された給湯加熱室とに区画されている。
【０００５】
上記の複数の仕切り板は、送風室と機械室とを区画する為の縦向きの縦仕切り板と、外装ケース内の上端側部分に給湯加熱室を区画する為の横向きの上部仕切り板とを有し、上部仕切り板の上面側に凝縮熱交換器が配置されている。従来では、図１０に示すように、上部仕切り板６１は、上方に向けて切り起された切起し片６２ａと、この切起し片６２ａを切り起すことで形成された開口部６２とを有し、切起し片６２ａに凝縮熱交換器を覆う保温材の端部が当接されることで、凝縮熱交換器の位置ズレを防止している。
【先行技術文献】
【特許文献】
【０００６】
【特許文献１】特開２０１３−１３０３４３号公報
【発明の概要】
【発明が解決しようとする課題】
【０００７】
しかし、上述したように、凝縮熱交換器の位置ズレを防止する為に上部仕切り板に切起し片を設けると、上部仕切り板には、送風室と給湯加熱室とを連通する開口部が形成されてしまう。この開口部は、従来では、平面視において送風ファンの回転領域から左右方向（羽根部材の厚み方向とは直行する方向）に外れた位置に設けられている（図１０参照）ので、送風室に侵入して送風ファンによって巻き上げられた雨水が、開口部を介して給湯加熱室に侵入するという問題がある。
【０００８】
このため、特許文献１のヒートポンプ給湯装置の構造では、給湯加熱室に雨水が侵入すると、雨水が上部仕切り板の上面を流れ、雨水が上部仕切り板の開口部とは反対側に形成された配管挿通孔を通って機械室側に流れ込み、機械室内に設置された各種機器を制御する為の電装部品をショートさせてしまう虞がある。
【０００９】
本発明の目的は、ヒートポンプ給湯装置において、送風室から給湯加熱室への雨水の侵入を低減可能な構造を備えたもの、給湯加熱室に侵入した雨水が機械室へ流れ込むのを防止可能な構造を備えたもの、等を提供することである。
【課題を解決するための手段】
【００１０】
請求項１のヒートポンプ給湯装置は、外装ケースの内部が、複数の仕切り板によって送風ファンと蒸発熱交換器が配置された送風室と、圧縮機と膨張手段が配置された機械室と、前記送風室と前記機械室の上方に跨がるように形成され且つ凝縮熱交換器が配置された給湯加熱室とに区画されたヒートポンプ給湯装置において、前記複数の仕切り板は、前記外装ケース内の上端側部分に前記給湯加熱室を区画する為の上部仕切り板を有し、前記上部仕切り板は、前記送風室の上方において上方に向けて切り起された切起し片と、この切起し片を切り起すことで形成された開口部とを有し、前記開口部は、平面視において前記送風ファンの回転領域から前後方向に外れた位置に設けられたことを特徴としている。
【００１１】
請求項２のヒートポンプ給湯装置は、請求項１の発明において、前記上部仕切り板には、この上部仕切り板上の水の流れを前記開口部に向かうように誘導する誘導部が設けられていることを特徴としている。
【００１２】
請求項３のヒートポンプ給湯装置は、請求項１又は２の発明において、前記上部仕切り板には、前記機械室側と連通する配管挿通孔が設けられ、前記開口部と前記配管挿通孔との間には、上方に凸となる前後方向に延びる突条部が設けられていることを特徴としている。
【発明の効果】
【００１３】
請求項１の発明によれば、上部仕切り板は、送風室の上方において上方に向けて切り起された切起し片と、この切起し片を切り起すことで形成された開口部を有し、開口部は、平面視において送風ファンの回転領域から前後方向に外れた位置に設けられたので、雨天時等に雨水が送風室に侵入し、雨水が送風ファンに巻き上げられても、雨水は回転領域の真上及び回転領域の左右方向の上方の上部仕切り板の底面に衝突して、送風室内の底部に向かって落下する。
【００１４】
従って、切起し片を平面視において送風ファンの回転領域から前後方向に外れた位置に形成することで、凝縮熱交換器に対する位置決め機能を維持しつつ、切起し片を切り起すことで形成された開口部から給湯加熱室への雨水の侵入を低減することができる。
【００１５】
請求項２の発明によれば、上部仕切り板には、この上部仕切り板上の水の流れを開口部に向かうように誘導する誘導部が設けられているので、上部仕切り板と凝縮熱交換器との間に雨水が滞留せずに開口部を介して送風室側に排水することができ、凝縮熱交換器の保温材等の劣化を防止することができる。
【００１６】
請求項３の発明によれば、上部仕切り板には、機械室側と連通する配管挿通孔が設けられ、開口部と配管挿通孔との間には、上方に凸となる前後方向に延びる突条部が設けられているので、給湯加熱室に雨水が侵入しても、突条部により配管挿通孔へ雨水が流れ込むのを防止して、雨水が機械室へ侵入するのを防止することができる。
【図面の簡単な説明】
【００１７】
【図１】本発明の実施例に係るヒートポンプ給湯装置の概略構成図である。
【図２】ヒートポンプ式熱源機の斜視図である。
【図３】外装ケースの前側板と天板とを取り外した状態のヒートポンプ式熱源機の斜視図である。
【図４】横仕切り板の平面図である。
【図５】横仕切り板の断面図である。
【図６】横仕切り板の部分拡大斜視図である。
【図７】第１例の変更形態に係る横仕切り板の部分拡大斜視図である。
【図８】第２例の変更形態に係る横仕切り板の平面図である。
【図９】第２例の変更形態に係る横仕切り板の断面図である。
【図１０】従来例に係る横仕切り板の部分拡大斜視図である。
【発明を実施するための形態】
【００１８】
以下、本発明を実施するための形態について実施例に基づいて説明する。
【００１９】
先ず、本発明のヒートポンプ給湯装置１の全体構成について説明する。
図１に示すように、ヒートポンプ給湯装置１は、湯水を貯留する貯湯タンク５を備えた貯湯タンクユニット２、貯湯タンク５の湯水の加熱を行うヒートポンプユニット３、ヒートポンプ給湯装置１を制御する制御ユニット４、貯湯タンクユニット２とヒートポンプユニット３との間に湯水を循環させる循環用配管８ａ，８ｂ等から構成されている。
【００２０】
図１に示すように、貯湯タンクユニット２は、縦長筒状の外周面を有する貯湯タンク５、各種の配管６，７，８ａ，８ｂ、湯水循環ポンプ１１、開閉弁１２、混合弁１３、主制御ユニット１６、外装ケース１７等を備えている。貯湯タンク５は、ヒートポンプユニット３で加熱された高温の湯水（例えば、６５〜９０℃）を貯留するものである。
【００２１】
貯湯タンク５の下端部には、給水配管６と循環用配管８ａとが接続されている。給水配管６には、貯湯タンク５へ低温の上水を供給する為の開閉弁１２が設けられている。貯湯タンク５の上端部には、循環用配管８ｂと出湯配管７とが接続され、循環用配管８ｂから戻された高温の湯水を貯湯タンク５内に貯留し、給湯時には貯湯タンク５内の高温の湯水を出湯配管７に供給することができる。
【００２２】
貯湯タンク５には、複数の温度センサ５ａ〜５ｄが高さ方向所定間隔おきの位置に配置され、温度センサ５ａ〜５ｄの温度検出信号が主制御ユニット１６に供給される。外装ケース１７は、薄鋼板製の箱状に形成され、貯湯タンク５、各種の配管類６，７、循環用配管８ａ，８ｂの大部分、湯水循環ポンプ１１、開閉弁１２、混合弁１３、各種の温度センサ１５ａ〜１５ｄ、主制御ユニット１６等を収容している。
【００２３】
次に、ヒートポンプユニット３について説明する。
図１に示すように、ヒートポンプユニット３は、冷媒により湯水を加熱する為のヒートポンプ式熱源機２０、主制御ユニット１６に接続され且つヒートポンプ式熱源機２０を制御する為の補助制御ユニット３３、これらを一体的に収納する為の外装ケース３５等を備えている。
【００２４】
ヒートポンプ式熱源機２０は、圧縮機２１、湯水加熱用の凝縮熱交換器２２、高圧の冷媒を急膨張させて温度と圧力を下げる膨張弁２３、外気熱吸収用の蒸発熱交換器２４を有し、これら機器２１〜２４が冷媒配管２５を介して接続されてヒートポンプ回路を構成し、冷媒配管２５に封入された冷媒を利用して貯湯運転を行う。ヒートポンプ式熱源機２０は、さらに、送風モータ２７ａで駆動される蒸発熱交換器用の送風ファン２７を有している。
【００２５】
ここで、先ずは、外装ケース３５の構造について説明する。
図２，図３に示すように、外装ケース３５は、薄鋼板製の箱状に形成され、左右１対の側板４１，４２と、前側板４３と、後側板４４と、天板４５と、底板４６とを備えている。外装ケース３５の内部は、複数の仕切り板４７によって送風室５１と機械室５２と給湯加熱室５３とに区画されている。複数の仕切り板４７は、垂直な縦仕切り板４８と水平な横仕切り板４９と有し、夫々が薄鋼板製のものである。
【００２６】
左右１対の側板４１，４２は、左右対称に設置されている。右側板４２には、下側が膨出した形状の配管カバー４２ａが取り付けられ、この配管カバー４２ａにより循環用配管８ａ，８ｂの内部配管部分と外部配管部分を接続する配管接続部が覆われている。
【００２７】
前側板４３には、空気排出口としての開口部４３ａが形成され、この開口部４３ａの前面には金網状のカバー部材４３ｂが設けられている。前側板４３の内面側には空気流をガイドするベルマウス４３ｃが設けられている。送風ファン２７を駆動すると、左側板４１と後側板４４に夫々形成された外気取込用開口部から外気が取り込まれ、蒸発熱交換器２４で冷媒と熱交換されて低温の空気となり、前側の開口部４３ａから外部に排出される。
【００２８】
縦仕切り板４８は、底板４６の右側約１／３部分から鉛直に立設され且つ左右１対の側板４１，４２と略平行に設けられている。縦仕切り板４８は、外装ケース３５内を蒸発熱交換器２４や送風ファン２７等が配置された左側の送風室５１と、圧縮機２１や膨張弁２３等が配置された右側の機械室５２とに区画している。縦仕切り板４８の上端側部分には、補助制御ユニット３３が装着されている。
【００２９】
横仕切り板４９（上部仕切り板に相当する）は、縦仕切り板４８の上側に天板４５と平行に左右方向に延びるように設けられ、その左右両端部が左右１対の側板４１，４２の内側面に固定されている。横仕切り板４９は、外装ケース３５内の上端側部分に凝縮熱交換器２２が配置された給湯加熱室５３を区画している。給湯加熱室５３は、送風室５１と機械室５２の上方に跨がるように形成されている。この横仕切り板４９の詳細な構造は後述する。
【００３０】
次に、外装ケース３５内に収納されている各種機器について説明する。
図１に示すように、圧縮機２１は、気相状態の冷媒を断熱圧縮して温度上昇させる公知の密閉型圧縮機である。
【００３１】
凝縮熱交換器２２は、循環用配管８ａ，８ｂ間に設置された熱交換器通路部２２ａと、冷媒配管２５の一部となる内部通路２２ｂとを有する二重管で構成されている。この凝縮熱交換器２２において、内部通路２２ｂを流れる冷媒と循環用配管８ａから熱交換器通路部２２ａに供給される湯水との間で熱交換され、湯水は加熱され冷媒は冷却され液化する。凝縮熱交換器２２は、横仕切り板４９の上面側に配置されている。  凝縮熱交換器２２は、発泡ポリプロピレン、発泡ポリスチレン等の樹脂を発泡成形した保温材３２で覆われている。
【００３２】
膨張弁２３（膨張手段に相当する）は、液相状態の冷媒を断熱膨張させ温度低下させる。この膨張弁２３は、絞り量が可変な制御弁からなる。尚、絞り量が可変な膨張弁２３の代わりに絞り量が一定の膨張弁を採用しても良い。
【００３３】
蒸発熱交換器２４は、冷媒配管２５に含まれる蒸発器通路部２４ａを有し、この蒸発器通路部２４ａは伝熱管と複数のフィンとを有している。この蒸発熱交換器２４において、蒸発器通路部２４ａを流れる冷媒と外気との間で熱交換され、冷媒は外気から吸熱して気化する。蒸発熱交換器２４は、左側板４１と後側板４４の内面に沿うように平面視Ｌ字状に構成されている（図３参照）。
【００３４】
冷媒配管２５は、圧縮機２１の吐出側と凝縮熱交換器２２の入口側とを接続する冷媒通路２５ａ，凝縮熱交換器２２の出口側と膨張弁２３の入口側とを接続する冷媒通路２５ｂ，膨張弁２３の出口側と蒸発熱交換器２４の入口側とを接続する冷媒通路２５ｃ，蒸発熱交換器２４の出口側と圧縮機２１の導入側とを接続する冷媒通路２５ｄを備えている。
【００３５】
図１，図３に示すように、送風ファン２７は、送風モータ２７ａと、この送風モータ２７ａによって回動駆動される複数の羽根部材２７ｂとを有し、支持金具２７ｃを介して底板４６と横仕切り板４９とに支持されている。
【００３６】
ヒートポンプ式熱源機２０の貯湯運転時において、圧縮機２１により高圧に圧縮された加熱状態の冷媒は、凝縮熱交換器２２に送られ、湯水循環ポンプ１１の駆動により貯湯タンク５の下端部から循環用配管８ａを経て熱交換器通路部２２ａに流入した水と熱交換してその水を暖め、温度低下して液化した冷媒は膨張弁２３に送られ、加熱された湯水が循環用配管８ｂを通って貯湯タンクユニット２の貯湯タンク５に貯留され、ヒートポンプ式熱源機２０を経由する加熱動作を繰り返すことで貯湯タンク５に高温の湯水が貯留される。
【００３７】
次に、制御ユニット４について説明する。
図１に示すように、ヒートポンプ給湯装置１は、主制御ユニット１６と補助制御ユニット３３からなる制御ユニット４によって制御される。各種の温度センサ等の検出信号が制御ユニット４に送信され、この制御ユニット４により、貯湯タンクユニット２とヒートポンプ式熱源機２０の動作、各種のポンプの作動・停止、各種の弁の開閉状態の切り換え及び開度調整等を制御し、各種運転（貯湯運転、給湯運転等）を実行する。
【００３８】
主制御ユニット１６は、ユーザーが操作可能な操作リモコン３６との間でデータ通信可能であり、操作リモコン３６のスイッチ操作により目標給湯温度が設定されると、その目標給湯温度データが操作リモコン３６から主制御ユニット１６に送信される。補助制御ユニット３３は、主制御ユニット１６との間でデータ通信可能であり、主制御ユニット１６からの指令に従ってヒートポンプ式熱源機２０の各種機器（圧縮機２１、膨張弁２３、送風モータ２７ａ等）の駆動制御を行う。
【００３９】
次に、本発明に係る横仕切り板４９の具体的な構造について説明する。
図４〜図６に示すように、横仕切り板４９（上部仕切り板）は、左右方向に長い矩形板状の金属製薄板の四辺を上方に折り曲げて立ち上がり形状としたトレイ状に形成されている。即ち、横仕切り板４９の左右端部及び前後端部には、上方に屈曲されたフランジ部５４ａ〜５４ｄが夫々略全長に亙って形成されている。
【００４０】
図４，図５に示すように、横仕切り板４９は、送風室５１と給湯加熱室５３とを連通する開口部５５と、この開口部５５の端部に設けられた切起し片５５ａと、機械室５２と給湯加熱室５３とを連通する配管挿通孔５６と、開口部５５と配管挿通孔５６との間に設けられた突条部５７とを備えている。
【００４１】
次に、開口部５５について説明する。
図４〜図６に示すように、開口部５５は、平面視にて前後方向に長い矩形状に形成され、送風室５１の上方において切起し片５５ａを切り起すことで形成されている。切起し片５５ａは、上方に向けて切り起され、開口部５５の右端縁部に上方に突出するように設けられている。横仕切り板４９の上面に凝縮熱交換器２２を載置した際に、切起し片５５ａは、凝縮熱交換器２２を覆った保温材３２の左端部を受け止めて凝縮熱交換器２２を位置決めすることができる。
【００４２】
図４に示すように、開口部５５は、平面視において送風ファン２７の回転領域Ｆから前後方向（送風モータ２７ａの回転軸と平行な方向・羽根部材２７ｂの厚み方向と平行な方向）に且つ左右方向（送風モータ２７ａの回転軸と直行する方向・羽根部材２７ｂの厚み方向と直行する方向）に外れた位置であって、横仕切り板４９の後端近傍部の左端部に形成されている。尚、送風ファン２７の３枚の羽根部材２７ｂの回転により規定される回転領域Ｆは、平面視にて横仕切り板４９の前後方向中央部分に位置する。
【００４３】
次に、配管挿通孔５６について説明する。
図４に示すように、配管挿通孔５６は、平面視にて左右方向に長い長円形状に形成され、横仕切り板４９の後端近傍部の右端部に設けられている。配管挿通孔５６には、凝縮熱交換器２２に接続される循環用配管８ａ，８ｂと冷媒通路２５ａ，２５ｂが挿通される。
【００４４】
次に、突条部５７について説明する。
図４，図５に示すように、突条部５７は、横仕切り板４９の左右方向中央部分の右側寄り部分において上方に凸となるように且つ前後方向に延びるように設けられている。突条部５７は、例えば、断面視正方形状のゴム製パッキンから構成され、横仕切り板４９の上面に両面テープ等で貼り付けられている。
【００４５】
突条部５７は、例えば１０ｍｍ程度の高さに設定されるが、この高さに特に限定する必要はない。また、突条部５７は、ゴム製パッキンに限定する必要はなく、上方に凸となる前後方向に延びる形状であれば、特に限定する必要はなく、横仕切り板４９をプレス成形する際に横仕切り板４９と一体的に上方に凸となる前後方向に延びる突条部（所謂、ビート部）を形成したものであっても良い。
【００４６】
次に、誘導部５８について説明する。
図５に示すように、横仕切り板４９には、この横仕切り板４９上の水の流れを開口部５５に向かうように誘導する誘導部５８が設けられている。即ち、横仕切り板４９は、水平面に対して僅かに傾斜する姿勢となるように左方下がり傾斜状に左右１対の側板４１，４２に固定されている。横仕切り板４９の水平面に対する傾斜角度αは、例えば、１〜３°程度に設定されるが、特にこの角度に限定する必要はない。この横仕切り板４９の傾斜状配置が、誘導部５８に相当するものである。
【００４７】
尚、保温材３２は、この内部に収納された凝縮熱交換器２２を水平状態に維持する為に、複数の脚部３２ａを備えている。この複数の脚部３２ａによって保温材３２と横仕切り板４９との間に空気層が形成される。
【００４８】
次に、本発明のヒートポンプ給湯装置１の作用及び効果について説明する。
ヒートポンプ式熱源機２０において、雨天時には、前側板４３の開口部４３ａや左側板４１と後側板４４の外気取込用開口部を介して送風室５１に雨水が侵入してしまう。この状態で、ヒートポン式熱源機２０を稼動した場合や送風室５１に逆風が吹き込んだ場合、送風ファン２７が回転するが、この回転に伴い送風室５１に侵入した雨水が巻き上げられる。この巻き上げられた雨水は、送風ファン２７の回転領域Ｆと横仕切り板４９の開口部５５が前後方向にズレて形成されている為、大部分の雨水は開口部５５から給湯加熱室５３に侵入せず横仕切り板４９の底面に衝突して落下することになる。
【００４９】
仮に、開口部５５を介して給湯加熱室５３に雨水が侵入しても、横仕切り板４９が、水が開口部５５に向かうように傾斜状に固定され、横仕切り板４９と保温材３２との間に空気層が形成されているので、侵入した雨水は開口部５５側に誘導されて送風室５１側に排水される。
【００５０】
以上説明したように、横仕切り板４９は、送風室５１の上方において上方に向けて切り起された切起し片５５ａと、この切起し片５５ａを切り起すことで形成された開口部５５とを有し、開口部５５は、平面視において送風ファン２７の回転領域Ｆから前後方向に外れた位置に設けられたので、雨天時等に雨水が送風室５１に侵入し、雨水が送風ファン２７に巻き上げられても、雨水は回転領域Ｆの直上及び回転領域Ｆの左右方向の上方の横仕切り板４９の底面に衝突して、送風室５１内の底部に向かって落下する。
【００５１】
従って、切起し片５５ａを平面視において送風ファン２７の回転領域Ｆから前後方向に外れた位置に形成することで、凝縮熱交換器２２に対する位置決め機能を維持しつつ、切起し片５５ａを切り起すことで形成された開口部５５から給湯加熱室５３への雨水の侵入を低減することができる。
【００５２】
また、横仕切り板４９には、この横仕切り板４９上の水の流れを開口部５５に向かうように誘導する誘導部５８が設けられているので、横仕切り板４９と凝縮熱交換器２２との間に雨水が滞留せずに開口部５５を介して送風室５１側に排水することができ、凝縮熱交換器２２の保温材３２等の劣化を防止することができる。
【００５３】
さらに、横仕切り板４９には、機械室５２側と連通する配管挿通孔５６が設けられ、開口部５５と配管挿通孔５６との間には、上方に凸となる前後方向に延びる突条部５７が設けられているので、給湯加熱室５３に雨水が侵入しても、突条部５７により配管挿通孔５６へ雨水が流れ込むのを防止して、雨水が機械室５２へ侵入するのを防止することができる。
【００５４】
次に、前記実施例を部分的に変更した例について説明する。
（１）第１変更例
図７に示すように、横仕切り板４９Ａにおいて、配管挿通孔５６Ａの周縁には、バーリング加工で形成された上方に突出する筒状部５６ａが形成されている。この筒状部５６ａによって、配管挿通孔５６Ａへ雨水が流れ込むのを防止して、雨水が送風室５１へ侵入するのを防止することができる。この構造の場合、ゴム製パッキンによる突条部５７を省略しても良い。
【００５５】
（２）第２変更例
図８，図９に示すように、横仕切り板４９Ｂは、水平姿勢に固定され、上方に凸となる前後方向に延びるように形成された複数の突条部５７Ｂ（所謂、ビート部）を備えている。保温材３２Ｂを横仕切り板４９Ｂの上に載置する場合、複数の突条部５７Ｂによって保温材３２Ｂと横仕切り板４９Ｂとの間に空気層が形成されるので、保温材３２Ｂの保温性を向上することができる。
【００５６】
（３）第３変更例
前記実施例において、誘導部５８として、横仕切り板４９を傾斜状に配置しているが、特にこの構造に限定する必要はなく、横仕切り板４９を水平姿勢に固定し、横仕切り板４９に水の流れを開口部５５に向かうような排水路的な凹部を設けた構造であっても良い。
【００５７】
その他、当業者であれば、本発明の趣旨を逸脱することなく、前記実施例に種々の変更を付加した形態で実施可能であり、本発明はそのような変更形態を包含するものである。
【符号の説明】
【００５８】
１      ヒートポンプ給湯装置
２１    圧縮機
２２    凝縮熱交換器
２３    膨張弁（膨張手段）
２４    蒸発熱交換器
２７    送風ファン
３５    外装ケース
４７    仕切り板
４９，４９Ａ，４９Ｂ  横仕切り板（上部仕切り板）
５１    送風室
５２    機械室
５３    給湯加熱室
５５    開口部
５５ａ  切起し片
５６，５６Ａ    配管挿通孔
５７，５７Ｂ    突条部
５８    誘導部
Ｆ      回転領域
【図１】
2015045424.tif 000003
【図２】
2015045424.tif 000004
【図３】
2015045424.tif 000005
【図４】
2015045424.tif 000006
【図５】
2015045424.tif 000007
【図６】
2015045424.tif 000008
【図７】
2015045424.tif 000009
【図８】
2015045424.tif 000010
【図９】
2015045424.tif 000011
【図１０】
2015045424.tif 000012